Podtech/llm-jp-corpus-v4-ja_patent huggingface dataset:
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
シーンにアタッチしていない前景オブジェクトを含む前記シーンの画像をキャプチャするステップであって、前記前景オブジェクトが、異なる物理的様相である関心ポイントを含み、前記画像が、深さ情報なしでカメラを使用してキャプチャされる、ステップと、
前記前景オブジェクトを含まない前記シーンの前記画像および参照画像の少なくとも一方を、前記画像および前記参照画像が同じビューを有するようにワープするステップと、
前記前景オブジェクト上の前記関心ポイントに属するピクセルを検出するために、ワープ後に前記画像を前記参照画像と比較するステップと、
前記検出されたピクセルを使用して前記前景オブジェクト上の前記関心ポイントを検出するステップであって、前記前景オブジェクト上の前記関心ポイントを検出することが、分類器の使用によって前記前景オブジェクトにおける所定の幾何学的制約を用いずに行われる、ステップと、
前記画像をディスプレイに表示するステップと、
前記関心ポイントに基づいて、前記ディスプレイで前記画像の上にオーグメンテーションをレンダリングするステップと
を含む方法。
【請求項２】
前記シーンにアタッチしていない前記前景オブジェクトが、ユーザの少なくとも1つの指であり、前記関心ポイントが前記指の先端である、請求項1に記載の方法。
【請求項３】
前記前景オブジェクト上の前記関心ポイントに属するピクセルを検出するために、ワープ後に前記画像を前記参照画像と比較するステップが、
前記前景オブジェクトのためのマスクを生成するステップと、
前記マスクを使用して前記画像から前記前景オブジェクトをセグメント化するステップと、
前記画像からセグメント化された前記前景オブジェクトを使用して、前記ピクセルを検出するステップと
を含む、および/または、
前記参照画像における対応するピクセルとは異なる前記画像におけるピクセルを使用して、前景オブジェクト画像を生成するステップと、
前記前景オブジェクト画像における前記前景オブジェクト上の前記関心ポイントに属する前記ピクセルを検出するステップと
を含む、請求項1に記載の方法。
【請求項４】
ワープ後に前記画像を前記参照画像と比較するステップが、
ワープ後に各ピクセルの差を生成するために、前記参照画像における対応するピクセルから前記画像におけるピクセルを減算するステップと、
各ピクセルの前記差を閾値と比較するステップと
を含む、および/または、
ワープ後に前記画像および前記参照画像における対応するピクセルについての比率を生成するステップと、
対応するピクセルについての前記比率を閾値と比較するステップと
を含む、請求項1に記載の方法。
【請求項５】
前記画像および前記参照画像の少なくとも一方をワープするステップが、
前記画像と前記参照画像との間のポーズを生成するステップと、
前記ポーズに基づいて前記画像および前記参照画像の一方をワープするステップと
を含む、請求項1に記載の方法。
【請求項６】
その後キャプチャされた画像を前記ディスプレイに表示するステップと、
前記その後キャプチャされた画像における前記関心ポイントに基づいて前記オーグメンテーションを変えるステップと
をさらに含む、請求項1に記載の方法。
【請求項７】
前記ディスプレイに前記オーグメンテーションをレンダリングするステップが、前記オーグメンテーションが前記ディスプレイに表示される前記前景オブジェクトの下にあるかのように見えるように前記オーグメンテーションをレンダリングするステップを含む、請求項1に記載の方法。
【請求項８】
前記シーンが、関心ポイントを有する複数の前景オブジェクトを含み、前記方法が、
ワープ後に前記画像を前記参照画像と比較することによって前記複数の前景オブジェクト上の前記関心ポイントに属するピクセルを検出するステップと、
前記検出されたピクセルを使用して前記複数の前景オブジェクト上の前記関心ポイントを検出するステップと
をさらに含む、請求項1に記載の方法。
【請求項９】
その後キャプチャされた画像における前記前景オブジェクト上の前記関心ポイントを追跡するステップと、
前記前景オブジェクト上の前記関心ポイントの動きに基づいて時間的ジェスチャを検出するステップと、
前記時間的ジェスチャと関連したアクションを実行するステップと
をさらに含む、請求項1に記載の方法。
【請求項１０】
前記前景オブジェクト上の前記関心ポイントの構成をジェスチャ構成のライブラリと比較するステップと、
前記前景オブジェクト上の前記関心ポイントの前記構成からジェスチャを識別するステップと、
前記ジェスチャと関連したアクションを実行するステップと
をさらに含む、請求項1に記載の方法。
【請求項１１】
その後キャプチャされた画像における前記前景オブジェクトを追跡するステップであって、
その後キャプチャされた画像ごとに、前記シーンの前記その後キャプチャされた画像および前記参照画像の少なくとも一方をワープするステップと、
前記前景オブジェクト上の前記関心ポイントに属するピクセルを検出するために、ワープ後に前記その後キャプチャされた画像を前記参照画像と比較するステップと、
前記その後キャプチャされた画像における前記検出されたピクセルを使用して前記前景オブジェクト上の前記関心ポイントを検出するステップと
を含む、ステップをさらに含む、請求項1に記載の方法。
【請求項１２】
前記関心ポイントに属する前記ピクセルに関して、オプティカルフローを使用して、その後キャプチャされた画像における前記前景オブジェクトを追跡するステップをさらに含む、請求項1に記載の方法。
【請求項１３】
シーンにアタッチしていない前景オブジェクトを含む前記シーンの画像をキャプチャするための手段であって、前記前景オブジェクトが、異なる物理的様相である関心ポイントを含み、前記画像が、深さ情報なしでカメラを使用してキャプチャされる、手段と、
前記前景オブジェクトを含まない前記シーンの前記画像および参照画像の少なくとも一方を、前記画像および前記参照画像が同じビューを有するようにワープするための手段と、
前記前景オブジェクト上の前記関心ポイントに属するピクセルを検出するために、ワープ後に前記画像を前記参照画像と比較するための手段と、
前記検出されたピクセルを使用して前記前景オブジェクト上の前記関心ポイントを検出するための手段であって、前記前景オブジェクト上の前記関心ポイントを検出することが、分類器の使用によって前記前景オブジェクトにおける所定の幾何学的制約を用いずに行われる、手段と、
前記画像をディスプレイに表示するための手段と、
前記関心ポイントに基づいて、前記ディスプレイで前記画像の上にオーグメンテーションをレンダリングするための手段と
を含む装置。
【請求項１４】
請求項1から12のいずれか一項に記載の方法を実行するためのプログラムコードが記憶された記憶媒体。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
深度マップを生成し、かつ、少なくとも第１の環境オブジェクトおよび第２の環境オブジェクトの相対的空間位置を検出するよう構成された少なくとも１つの深度カメラと、
前記深度マップ、ならびに、前記第１の環境オブジェクトと関連付けられた第１の点群、および前記第２の環境オブジェクトと関連付けられた第２の点群に基づいて前記相対的空間位置を認識し、かつ、少なくとも１つの表示構成要素を構成するよう構成されたプログラム命令を実行する少なくとも１つの計算デバイスと、
前記少なくとも１つの表示構成要素を表示するよう構成された少なくとも１つの出力ディスプレイと、
を備える、装置。
【請求項２】
前記計算デバイスは、前記第１の点群と前記第２の点群との交差に基づいて前記相対的空間位置をタッチ・ジェスチャとして認識する、請求項１に記載の装置。
【請求項３】
前記少なくとも１つの表示構成要素は仮想的オブジェクトを含み、前記第２の環境オブジェクトはユーザ身体部分を含む、請求項１に記載の装置。
【請求項４】
前記第１の環境オブジェクトは表面であり、前記少なくとも１つの計算デバイスは、前記表面を追跡するよう構成され、前記仮想的オブジェクトは、前記少なくとも１つの出力ディスプレイ内でその表面と関連付けられた座標系に固定される、請求項３に記載の装置。
【請求項５】
前記相対的空間位置は相対的空間動作をさらに含む、請求項１に記載の装置。
【請求項６】
前記相対的空間動作は、スワイプ、ムービング・スクイーズ、ポッピング・スクイーズ、および把持のうちの少なくとも１つを含む、請求項５に記載の装置。
【請求項７】
前記第１の環境オブジェクトは表面を含み、前記少なくとも１つの計算デバイスは、前記表面を追跡するよう構成され、前記少なくとも１つの出力ディスプレイは、少なくとも１つの仮想的オブジェクトを追跡される表面に固定するよう構成される、請求項１に記載の装置。
【請求項８】
前記少なくとも１つの仮想的オブジェクトは立体的提示において固定される、請求項７に記載の装置。
【請求項９】
前記相対的空間位置は、前記表面と前記少なくとも１つの仮想的オブジェクトとの間の関連を示す、請求項７に記載の装置。
【請求項１０】
前記相対的空間位置は、前記少なくとも１つの仮想的オブジェクトの前記表面へのドラッグ・アンド・ドロップを含む、請求項９に記載の装置。
【請求項１１】
前記第２の環境オブジェクトはジェスチャをする手を含み、前記第１の環境オブジェクトは仮想的環境内の仮想的モデルを含み、前記少なくとも１つの計算デバイスは、前記ジェスチャをする手と前記仮想的モデルとの間の任意の接点をスカルプトすることにより前記仮想的モデルを表現するように前記少なくとも１つの表示構成要素を構成するためのプログラム命令を実行する、請求項１に記載の装置。
【請求項１２】
前記少なくとも１つの計算デバイスは、少なくとも１つの一意的な識別子を、前記第１の環境オブジェクトおよび前記第２の環境オブジェクトのうちの少なくとも１つに関連付けるよう構成されたプログラム命令を実行し、前記一意的な識別子は、ユーザと関連付けられたソーシャル・ネットワーク・データに接続される、請求項１に記載の装置。
【請求項１３】
前記少なくとも１つの計算デバイスは、前記少なくとも１つの出力ディスプレイを介して前記第１の環境オブジェクトおよび前記第２の環境オブジェクトのうちの少なくとも１つにマーカを適用するよう構成される、請求項１２に記載の装置。
【請求項１４】
前記計算デバイスは前記一意的な識別子を認識するよう構成され、前記出力ディスプレイは、前記ユーザと関連付けられた前記ソーシャル・ネットワーク・データのうちの少なくともいくつかを表示するよう構成される、請求項１２に記載の装置。
【請求項１５】
前記少なくとも１つの深度カメラは親指立てユーザ・ジェスチャを検出するよう構成され、前記少なくとも１つの計算デバイスは、フィードバックを前記一意的な識別子と関連付けるためのプログラム命令を発行する、請求項１２に記載の装置。
【請求項１６】
前記装置は眼鏡として構成される、請求項１に記載の装置。
【請求項１７】
ユーザ・インターフェースを管理するプロセッサ実装方法であって、
少なくとも１つの頭部搭載型出力ディスプレイを介する表示のために複数のアイコンを提供することであって、前記複数のアイコンは、少なくとも１つのジェスチャ追跡センサを介する選択のために構成されることと、
前記少なくとも１つのジェスチャ追跡センサを介してユーザ・ジェスチャ・データを受け取ることと、
前記複数のアイコンのうちの少なくとも１つに対するユーザ・ジェスチャ・データを、前記複数のアイコンのうちの少なくとも１つのアイコンの選択を示すものとして解釈することと、
選択されたアイコンの選択に基づいてアイコンの階層にアクセスすることと、
前記選択されたアイコンに基づいて、前記少なくとも１つの頭部搭載型出力ディスプレイを介する表示のために前記アイコンの階層の一部を提供することと、
を含む、方法。
【請求項１８】
前記表示のために複数のアイコンを提供することは、前記少なくとも１つのジェスチャ追跡センサがアイコン呼出ジェスチャを検知するときにのみさらに起こる、請求項１７に記載の方法。
【請求項１９】
前記アイコン呼出ジェスチャは、開いた手を少なくとも閾値の時間的期間にわたり提示することを含む、請求項１７に記載の方法。
【請求項２０】
前記複数のアイコンは、少なくとも１つのサイクル・バブル・アニメーションを使用して提示される、請求項１７に記載の方法。
【請求項２１】
前記ユーザ・ジェスチャ・データは、相対的手運動マウスオーバー予備選択を含む、請求項１７に記載の方法。
【請求項２２】
前記ユーザ・ジェスチャ・データは、スクイーズ・トゥ・ムーブ平行移動を含む、請求項１７に記載の方法。
【請求項２３】
前記ユーザ・ジェスチャ・データはスクイーズ・トゥ・ポップ選択を含む、請求項１７に記載の方法。
【請求項２４】
前記アイコンの階層は設定アイコンを含む、請求項１７に記載の方法。
【請求項２５】
前記少なくとも１つのジェスチャ追跡センサを介して前記設定アイコンの選択を示すデータを受け取ることと、
前記設定アイコンおよび少なくとも１つのユーザ身体部分の相対的空間位置を判定することと、
前記出力ディスプレイを介して、前記設定アイコンから前記ユーザ身体部分について判定された空間位置まで延びる線を含むインターフェース要素を提供することと、
前記相対的空間位置に基づいて、前記頭部搭載型出力ディスプレイの少なくとも１つのパラメータおよび前記線の長さを調節することと、
をさらに含む、請求項２４に記載の方法。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
基板(52)と、
前記基板(52)に付加されたＥＵＶ放射反射多層系(51)と、
前記多層系(51)に付加され、少なくとも第１層及び第２層(57, 58)を有する保護層系(60)とを具え、
前記第１層(57)は、前記第２層(58)よりも前記多層系(51)の近くに配置され、前記第１層(57)は前記第２層(58)よりも水素の溶解度が低く、前記第１層(57)はアモルファス材料または単結晶材料で形成されることを特徴とする光学素子。
【請求項２】
前記第１層(57)における水素の溶解度ｓ1について、次式：ln(ｓ1)＜３が成り立ち、及び／または、前記第２層(58)における水素の溶解度ｓ2について、次式：ln(ｓ2)＞５が成り立つことを特徴とする請求項１に記載の光学素子。
【請求項３】
前記第１層(57)が、Mo、Ru、Ir、Ni、Fe、Co、Cuから成るグループから選択した材料で形成されることを特徴とする請求項１または２に記載の光学素子。
【請求項４】
前記第１層(57)が、０．３nm〜１０nmの厚さ(ｄ1)、好適には０．３nmから２nmの厚さを有することを特徴とする請求項１〜３のいずれかに記載の光学素子。
【請求項５】
前記第２層(58)が、多結晶材料及び／または開孔材料で形成されることを特徴とする請求項１〜４のいずれかに記載の光学素子。
【請求項６】
前記第２層(58)が、Zr、Ti、Th、V、Pdから成るグループから選択した材料で形成されることを特徴とする請求項１〜５のいずれかに記載の光学素子。
【請求項７】
前記第２層(58)が、５nm〜２５nmの厚さ(ｄ2)を有することを特徴とする請求項１〜６のいずれかに記載の光学素子。
【請求項８】
前記第２層(58)が、１０nm〜１５nmの厚さ(ｄ2)を有することを特徴とする請求項１〜７のいずれかに記載の光学素子。
【請求項９】
前記保護層系(60)が最上の第３層(59)を有し、この第３層は、３５０Kの温度で、１０-27cm4／(原子・s)以上、特に１０-19cm4／(原子・s)以上である水素の再結合速度(ｋr)を有する材料で形成されることを特徴とする請求項１の前文、特に請求項１〜８のいずれかに記載の光学素子。
【請求項１０】
前記最上の第３層(59)の材料が、Mo、Ru、Cu、Ni、Fe、Pd、V、Nb、及びこれらの酸化物から成るグループから選択した材料であることを特徴とする請求項９に記載の光学素子。
【請求項１１】
前記第１層(57)、前記第２層(58)、及び／または前記第３層(59)が、金属または金属酸化物で形成されることを特徴とする請求項１〜１０のいずれかに記載の光学素子。
【請求項１２】
集光ミラー(7)として形成されていることを特徴とする請求項１〜１１のいずれかに記載の光学素子。
【請求項１３】
請求項１〜１２のいずれかに記載の光学素子(7, 9, 10, 11, 13, 14, 50)を少なくとも１つ具えていることを特徴とするＥＵＶリソグラフィー用の光学系。
【請求項１４】
基板(52)と、前記基板(52)に付加されたＥＵＶ放射反射多層系(51)と、前記多層系(51)に付加された保護層系(60)とを具えた光学素子(50)を処理する方法であって、
前記保護層系(60)の少なくとも１つの層(57, 58, 59)及び／または前記多層系(51)の少なくとも１つの層(54, 55)から、当該層内に含まれる水素を抽出するように前記光学素子(50)を処理するステップを含み、
前記層内に含まれる水素を抽出することが、前記光学素子(50)を、５０℃以上の温度まで加熱することを含むことを特徴とする方法。
【請求項１５】
前記層内に含まれる水素を抽出することが、前記光学素子(50)を、１００℃以上の温度まで加熱することを含むことを特徴とする請求項１４に記載の方法。
【手続補正書】
【提出日】平成29年1月24日(2017.1.24)
【手続補正１】
【補正対象書類名】明細書
【補正対象項目名】００３８
【補正方法】変更
【補正の内容】
【００３８】
原子炉モジュールの正常運転は、加熱された冷却材がチャネル３０を通って上昇して熱交換器５０及び６０に接触する態様で進行する。冷却材は、熱交換器５０及び６０との接触後、熱サイホンプロセスを引き起こす態様で炉容器７０の底に向かって沈む。図１の例において、炉容器７０内の冷却材は、大気圧を上回る圧力に維持されるので、気化（例えば沸騰）することなく高温を維持することが許容される。
【手続補正２】
【補正対象書類名】明細書
【補正対象項目名】００５６
【補正方法】変更
【補正の内容】
【００５６】
図６Ａ〜６Ｂは、外部熱交換器５２４を含みかつ正常状態で運転されている使用済燃料キャニスタ５００の他の代表的な実装の模式図である。図示のように、熱交換器５２４は、一連のＣ字状垂直方向熱交換器配管２２６によって一緒にまとめられた水平方向上配管ヘッダ２２３ａ及び水平方向下配管ヘッダ２２３ｂを含む。熱交換器の配管は、直径が５．１〜１０．２センチメートル（２〜４インチ）かつ長さが４．６〜６．１メートル（１５〜２０フィート）となり得る。図示の例において、熱交換器５２４は、レベル２０１と上支持リング２１８との間においてヘッダ導管２２５ａを介して円筒状シェル２０８に接続される。下配管ヘッダ２２３ｂは、ヘッダ導管２２５ｂを介してアニュラス２２２に接続される。ヘッダ導管２２５ａ及び２２５ｂは、当該導管を通って流れる液体が常に下方向を向くように傾斜される。いくつかの側面において熱交換器５２４は、正常及び異常状態の間、フルの圧力及び温度に耐えるように設計される。正常状態の間、熱伝達機構は、図２Ａに対して記載されたのと同じものと同一又は実質的に類似する。
【手続補正３】
【補正対象書類名】特許請求の範囲
【補正対象項目名】請求項１３
【補正方法】変更
【補正の内容】
【請求項１３】
前記熱伝達液体は水又は周囲空気の少なくとも一つを含む請求項１１のシステム。
【手続補正４】
【補正対象書類名】特許請求の範囲
【補正対象項目名】請求項１６
【補正方法】変更
【補正の内容】
【請求項１６】
前記使用済核燃料棒から熱が伝達される速度は、前記使用済核燃料棒が崩壊熱を生成する速度と少なくとも同じ程度に大きい請求項１５の方法。
【手続補正５】
【補正対象書類名】図面
【補正対象項目名】図５Ａ
【補正方法】変更
【補正の内容】
【図５Ａ】
2016509235.tif 000001
【手続補正６】
【補正対象書類名】図面
【補正対象項目名】図６Ａ
【補正方法】変更
【補正の内容】
【図６Ａ】
2016509235.tif 000002
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
Ｘ線蛍光分析デバイスのための光学ミラーであって
前記Ｘ線蛍光分析デバイスは：
試料（１５）にＸ線放射（１９）を放射するためのＸ線源（１０）；
前記試料が放出したＸ線蛍光放射（１６）の測定のためのＸ線検出器（１７）；及び
前記Ｘ線源（１０）のビーム経路内にある角度で配設された前記光学ミラー（２０）を介して前記試料（１５）の放射測定位置（２９）の光学制御画像（２６）を生成するためのカメラ（２５）
を有し、
前記光学ミラー（２０）はキャリヤ（２１）を備え、前記キャリヤ（２１）は前記キャリヤ（２１）上に設けられたミラー層（２８）を有する、光学ミラーにおいて、
前記光学ミラー（２０）は、前記キャリヤ（２１）内の凹部（２３）と、前記キャリヤ（２１）の外側において前記凹部（２３）を覆う、前記ミラー層（２８）を形成するフィルム（２２）とによって形成された、前記Ｘ線放射のための通過窓（２３）を有することを特徴とする、光学ミラー。
【請求項２】
前記フィルム（２２）は、プラスチックからなることを特徴とする、請求項１に記載の光学ミラー。
【請求項３】
前記フィルム（２２）はポリエチレンテレフタレートからなることを特徴とする、請求項２に記載の光学ミラー。
【請求項４】
前記フィルム（２２）は金属化されていることを特徴とする、請求項１に記載の光学ミラー。
【請求項５】
前記フィルム（２２）は、アルミニウムから作製されたコーティングを有することを特徴とする、請求項２に記載の光学ミラー。
【請求項６】
前記フィルム（２２）の厚さは数マイクロメートルの範囲内であることを特徴とする、請求項１に記載の光学ミラー。
【請求項７】
前記キャリヤ（２１）は、前記通過窓（２３）の領域に凹部を有する平坦な基体を有することを特徴とする、請求項１に記載の光学ミラー。
【請求項８】
前記平坦な基体はガラスからなることを特徴とする、請求項７に記載の光学ミラー。
【請求項９】
前記凹部は円形孔であることを特徴とする、請求項７に記載の光学ミラー。
【請求項１０】
前記フィルム（２２）は前記キャリヤ（２１）に接着され、前記キャリヤ（２１）の前記凹部（２３）を張力がかからない様式で被覆することを特徴とする、請求項７に記載の光学ミラー。
【請求項１１】
前記キャリヤ（２１）はフレームを有し、
前記ミラー化フィルム（２２）は前記フレーム上に又は前記フレーム全体に亘って広げられる
ことを特徴とする、請求項１に記載の光学ミラー。
【請求項１２】
試料（１５）にＸ線放射（１９）を放射するためのＸ線源（１０）；
前記試料が放出したＸ線蛍光放射（１６）の測定のためのＸ線検出器（１７）；及び
前記Ｘ線源（１０）のビーム経路内にある角度で配設された光学ミラー（２０）によって前記試料（１５）の放射位置の光学制御画像（２６）を生成するためのカメラ（２５）
を有する、Ｘ線蛍光分析デバイスであって、
前記光学ミラー（２０）はキャリヤ（２１）を備え、前記キャリヤ（２１）は前記キャリヤ（２１）上に設けられたミラー層（２８）を有する、Ｘ線蛍光分析デバイスにおいて、
前記光学ミラー（２０）は請求項１に従って形成されることを特徴とする、Ｘ線蛍光分析デバイス。
【請求項１３】
前記カメラ（２５）は内視鏡として実装されることを特徴とする、請求項１２に記載のＸ線蛍光分析デバイス。
【請求項１４】
モノキャピラリレンズ又はポリキャピラリレンズが、前記光学ミラー（２０）の前に配設されることを特徴とする、請求項１２に記載のＸ線蛍光分析デバイス。
【請求項１５】
薄層の厚さを決定するための、試料（１５）のＸ線蛍光分析方法であって、
前記試料（１５）に、Ｘ線源（１０）からの多色Ｘ線放射（１９）を放射し、
Ｘ線検出器（１７）を用いて、前記試料（１５）が放出するＸ線蛍光放射（１６）を測定し、
カメラ（２５）を用いて、Ｘ線源（１０）のビーム経路内にある角度で配設された光学ミラー（２０）を介して、前記試料の測定位置（２９）の光学制御画像（２６）を生成し、
前記光学ミラー（２０）はキャリヤ（２１）を備え、前記キャリヤ（２１）は前記キャリヤ（２１）上に設けられたミラー層（２８）を有する、方法において、
前記キャリヤ（２１）は、前記キャリヤ（２１）の外側において前記ミラー層（２８）を形成するフィルム（２２）によって被覆された、前記Ｘ線放射（１９）のための通過窓（２３）を有し、
前記フィルム（２２）は、前記光学ミラー（２０）の前記キャリヤ（２１）の前記凹部（２３）の領域においてＸ線放射（１３）によって進入され、
光学画像は、前記フィルム（２２）上の前記試料（１５）の測定位置（２９）によって反射され、前記カメラ（２５）によって検出される
ことを特徴とする、方法。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
出発地から目的地までのルートに沿った関心ロケーションを推奨するための方法であって、
ユーザデバイスのユーザインターフェース上での表示のために、デバイスが、前記出発地から前記目的地までの前記ルートを算出することと、
前記ルートを算出することに応答して、前記デバイスが、関心ロケーションの推奨を決定することと、ここにおいて、前記関心ロケーションは、閾値よりも高いメディア密度スコアを有し、かつ、前記ルートからの偏差の範囲内にあるロケーションであり、前記メディア密度スコアは、前記関心ロケーションにおいてキャプチャされた１つ以上のメディアファイルの数および前記１つ以上のメディアファイルの各々の重要度を示す前記１つ以上のメディアファイルのランキングに基づいて算出される、
前記デバイスが、前記ユーザデバイスの前記ユーザインターフェース上に前記推奨を表示することと
を備える方法。
【請求項２】
前記ルートを前記算出することは、前記出発地と前記目的地との間の最速ルートを算出することを備える、請求項１に記載の方法。
【請求項３】
前記偏差の範囲は、前記ルート上の点から前記関心ロケーションまでの距離の偏差または時間の偏差のうちの少なくとも１つを含む、請求項１に記載の方法。
【請求項４】
前記関心ロケーションを含めるように前記ルートを修正すること
前記ルートを前記修正する前に、前記関心ロケーションを説明する通知をユーザに表示することと、
前記ルートを修正する許可を前記ユーザから受信することと
をさらに備える、請求項１に記載の方法。
【請求項５】
前記推奨を前記決定することは、
前記ルートを移動しているユーザが、前記関心ロケーションを訪れるのに好ましい時間に、前記関心ロケーションの閾値距離の範囲内にいることとなるかどうかを決定することと、
前記ユーザが前記好ましい時間に前記閾値距離の範囲内にいることとなると決定することに基づいて、前記関心ロケーションを推奨すること、または
前記ルートを移動しているユーザが前記関心ロケーションに到達することとなる時間を決定することと、
前記ユーザが前記関心ロケーションに到達することとなる時間の前記関心ロケーションに関する天気予報を決定することと、
前記天気予報が前記関心ロケーションにとって好ましい天気予報であることに基づいて、前記関心ロケーションを推奨することと
を備える、請求項１に記載の方法。
【請求項６】
前記推奨を前記決定することは、
前記ルートを移動しているユーザのソーシャルコンタクトが前記関心ロケーションにいるかどうかを決定することと、
前記コンタクトが前記関心ロケーションにいることに基づいて、前記関心ロケーションを推奨することと
を備え、前記ソーシャルコンタクトは、前記ユーザと同じソーシャルネットワーク内にいる、請求項１に記載の方法。
【請求項７】
前記推奨を前記決定することは、
前記ルートを移動しているユーザの関心が前記関心ロケーションに関係しているかどうかを決定することと、
前記関心ロケーションが前記ユーザの関心に関係していることに基づいて、前記関心ロケーションを推奨することと
を備える、請求項１に記載の方法。
【請求項８】
ルート間条件に基づいて前記ルートを動的に更新することをさらに備える、請求項１に記載の方法。
【請求項９】
前記ルート間条件は、
天気の変化、
前記関心ロケーションへの推定到着時間の変更、
前記関心ロケーションに関する更新済みメディア密度スコア、または
前記ルートに沿った地理的領域におけるソーシャルコンタクトの存在
のうちの少なくとも１つを含む、請求項８に記載の方法。
【請求項１０】
前記ルートを前記動的に更新することは、
ロケーションに関するメディア密度スコアが前記閾値よりも上に増加したかどうかを決定することと、
前記メディア密度スコアが前記閾値よりも上に増加したことに基づいて、前記ロケーションを関心ロケーションとして推奨すること、または
前記関心ロケーションに関する前記メディア密度スコアが前記閾値よりも下に減少したかどうかを決定することと、
前記メディア密度スコアが前記閾値よりも下に減少したことに基づいて、前記関心ロケーションの前記推奨を取り消すことと
を備え、前記推奨を前記取り消すことは、前記ルートを移動しているユーザに、前記関心ロケーションがもはや関心ロケーションではないことを知らせること、または、前記関心ロケーションを前記ルートから除去することを備える、請求項８に記載の方法。
【請求項１１】
前記ロケーションの前記メディア密度スコアは、
前記ロケーションの否定的な推奨に対する肯定的な推奨の比、
時期、
時刻、
天気条件、または
特定の地理的エリア内のロケーションの数
のうちの少なくとも１つに基づいてさらに決定され、推奨の前記数は、ユーザのソーシャルネットワーク内のコンタクトに基づく、請求項１に記載の方法。
【請求項１２】
前記メディア密度スコアに関する前記閾値を受信することと、
前記ルートからの前記偏差の範囲を受信することと、
前記ロケーションに関する前記メディア密度スコアを算出することと、
前記メディア密度スコアが前記閾値よりも上であり、かつ、前記偏差の範囲内であることに基づいて、前記ロケーションを前記関心ロケーションとして識別することと
をさらに備え、前記デバイスは、前記ユーザデバイスを備え、前記閾値および前記偏差の範囲はユーザから受信され、または、前記デバイスはサーバを備える、請求項１に記載の方法。
【請求項１３】
前記１つ以上のメディアファイルは、前記関心ロケーションの１つ以上の画像またはビデオを備える、請求項１に記載の方法。
【請求項１４】
出発地から目的地までのルートに沿った関心ロケーションを推奨するための装置であって、請求項１乃至１３のうちのいずれか１項に記載の方法を実行するための手段を備える、装置。
【請求項１５】
出発地から目的地までのルートに沿った関心ロケーションを推奨するための非一時的コンピュータ可読媒体であって、実行されたとき、プロセッサに請求項１乃至１３のうちのいずれか１項に記載の方法を実行させる命令を備える、非一時的コンピュータ可読媒体。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
流体試料の化学性を決定する自動化された検定を実行するシステムであって、前記システムは、
ａ）その中で前記検定を行う無弁の固定カートリッジであって、前記カートリッジは、前記流体試料の少なくとも部分と流動混合されるように構成された少なくとも１つの試薬を収容するように構成された膨れ部と、前記検定の結果を報告するために前記少なくとも１つの試薬の前記試料との流動的に懸濁した反応を報告するように構成される少なくとも１つのレポータ機能性と、前記少なくとも１つのレポータ機能性の検出のために構成された前記カートリッジ上の読取りチャネルとを含む無弁の固定カートリッジと、
ｂ）前記固定カートリッジを受け取るためのカートリッジ操作ユニット（ＣＨＵ）であって、前記ＣＨＵは機械式制御装置を含み、前記機械式制御装置は
ｉ．前記カートリッジ中の前記膨れ部の１つの上に外部から力を加えて、前記少なくとも１つの流体試薬を放出させるようにモータおよびモータのシャフトによって駆動されるように構成された少なくとも１つのアクチュエータと、
ｉｉ．除去可能な力を加えて、前記カートリッジの中に第１の方向の流体動きを誘発し、前記力が除去されると、前記第１の方向と反対方向の流体動きを引き起こすように構成された少なくとも１つの第２のアクチュエータと、
ｉｉｉ．前記少なくとも１つのレポータ機能性の前記検出のための自動焦点プロセスの間、前記読取りチャネルを照らすよう構成された複数の発光ダイオード（ＬＥＤ）を含むアセンブリと、
を含むカートリッジ操作ユニット（ＣＨＵ）と、
ｃ）前記反応を検出するように構成された光学式読取り装置と、
ｄ）前記光学式読取り装置からデータを受け取って、前記データを処理して前記化学性を決定するように構成されたプロセッサとを含むシステム。
【請求項２】
前記カートリッジは、複数の流体開放チャンネルをさらに備えており、前記チャネルは全て、互いに液体連通している、請求項１に記載のシステム。
【請求項３】
前記カートリッジは、検体受入れ要素において流体試料を受け取った後、密封され、所定量の前記試料を、前記複数の流体開放チャンネルの少なくとも一部の中に通すように構成される、請求項２に記載のシステム。
【請求項４】
前記カートリッジは、前記流体チャネルの中に陰圧および陽圧の少なくとも１つを印加するように構成された、少なくとも１つの膨張可能、変形可能な弾性室をさらに備える、請求項３に記載のシステム。
【請求項５】
前記少なくとも１つの変形可能な弾性室は、密封された搭載格納室に格納された前記少なくとも１つの試薬と反応室内の所定量の前記試料とのさらなる接触を生じさせて、前記反応を誘発するように構成される、請求項４に記載のシステム。
【請求項６】
前記第１の圧接手段は、動くと前記格納チャンバ上のもろい密封部を破壊するように構成されるように、前記搭載された格納室に近接して配置される、請求項５に記載のシステム。
【請求項７】
前記アライメント手段は、前記所定量の前記試料の反応の検出用に前記カートリッジ上の読取りチャネルを合わせるように構成される、請求項６に記載のシステム。
【請求項８】
前記複数の流体開放チャンネルのいくつかは、０．１ｍｍ２から２ｍｍ２以下の断面である、請求項６に記載のシステム。
【請求項９】
前記所定量は、１０マイクロリットルから５００マイクロリットル以下の体積である、請求項７に記載のシステム。
【請求項１０】
前記カートリッジは、複数の搭載された試薬と、前記試料および反応生成物の前記少なくとも１つとのカスケード連続反応を誘発するように構成される、請求項１に記載のシステム。
【請求項１１】
前記カートリッジは、２００マイクロリットルから１００００マイクロリットル以下の容積の少なくとも１つの反応室を備える、請求項１に記載のシステム。
【請求項１２】
前記カートリッジ外部の温度制御装置をさらに備え、前記装置が、前記反応の温度を制御するように構成される、請求項１に記載のシステム。
【請求項１３】
前記カートリッジは、使い捨てマイクロ流体カートリッジである、請求項１に記載のシステム。
【請求項１４】
前記カートリッジに配置されている前記少なくとも１つの試薬は、少なくとも１つの敗血症バイオマーカを備える、請求項１に記載のシステム。
【請求項１５】
前記光学式読取り機が、
ａ．光ビームを提供するよう構成されたレーザーと、
ｂ．前記液体試料に向かって前記光ビームを向けるよう構成された複数の光学要素と、
ｃ．光電子増倍管（ＰＭＴ）とを、
有する、請求項１に記載のシステム。
【請求項１６】
前記複数の光学要素が、ダイクロイックフィルタ、ビームスプリッタ、集束レンズ、ピンホール、および対物レンズを含む、請求項１５に記載のシステム。
【請求項１７】
前記光学式読取り機が、前記対物レンズを通って前記試料に向かうビームからの信号を記録するように構成され、前記試料から戻るビームを検出するようにさらに構成された読取りユニットをさらに含む、請求項１６に記載のシステム。
【請求項１８】
前記光学式読取り機が、アテニュエータ、高域フィルタ、凹面格子をさらに含む、請求項１７に記載のシステム。
【請求項１９】
前記ＰＭＴが、８つのスペクトル領域に対応する８つの異なる空間的位置で蛍光を検出するよう構成された配列を含む、請求項１８に記載のシステム。
【請求項２０】
前記システムが、前記光ビームを通過する粒子からの散乱を検出するよう構成された前方散乱アセンブリを含む、請求項１９に記載のシステム。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
カバープレートが、サファイアの誘電率より大きい誘電率を有する改質サファイアの少なくとも１つの層を含有してなる、少なくとも１つの透明なディスプレー領域を有するカバープレートを含有してなる電子機器。
【請求項２】
改質サファイアが、少なくとも１つのドープ剤を含有するサファイア溶融物から固化される、請求項１に記載の電子機器。
【請求項３】
ドープ剤が、塩化物である、請求項２に記載の電子機器。
【請求項４】
ドープ剤が、硫化物又は硫酸塩である、請求項２に記載の電子機器。
【請求項５】
ドープ剤が、アルミン酸塩である、請求項２に記載の電子機器。
【請求項６】
ドープ剤が、鉄、チタン、クロム、マグネシウム、ガリウム、又はカルシウムを含有してなる、請求項２に記載の電子機器。
【請求項７】
ドープ剤が、炭素である、請求項２に記載の電子機器。
【請求項８】
改質サファイアが、硬Ｘ線又はガンマ線を照射されたサファイアである、請求項１〜７の何れか一項に記載の電子機器。
【請求項９】
電子機器がさらに、ディスプレー表面を有する少なくとも１つのディスプレー要素を含有してなり、カバープレートが該ディスプレー表面に貼り付けられる、請求項１〜８の何れか一項に記載の電子機器。
【請求項１０】
電子機器がさらに、ディスプレー表面を有する少なくとも１つのディスプレー要素を含有してなり、カバープレートが該ディスプレー表面の上に着脱可能に配置された保護層である、請求項１〜８の何れか一項に記載の電子機器。
【手続補正２】
【補正対象書類名】明細書
【補正対象項目名】００１２
【補正方法】変更
【補正の内容】
【００１２】
すなわち、本発明は、以下の（１）から（２４）に関する。
（１）カバープレートが、サファイアの誘電率より大きい誘電率を有する改質サファイアの少なくとも１つの層を含有してなる、少なくとも１つの透明なディスプレー領域を有するカバープレートを含有してなる電子機器。
（２）改質サファイアの誘電率が、サファイアの誘電率より少なくとも約０．０５％大きい、前記（１）に記載の電子機器。
（３）改質サファイアの誘電率が、サファイアの誘電率より少なくとも約０．１％大きい、前記（１）に記載の電子機器。
（４）改質サファイアの誘電率が、サファイアの誘電率より少なくとも０．５％大きい、前記（１）に記載の電子機器。
（５）改質サファイアが、少なくとも１つのドープ剤を含有するサファイア溶融物から固化される、前記（１）に記載の電子機器。
（６）ドープ剤が、塩化物である、前記（５）に記載の電子機器。
（７）ドープ剤が、塩化カルシウム、塩化アルミニウム、又は塩化モリブデンである、前記（６）に記載の電子機器。
（８）ドープ剤が、硫化物又は硫酸塩である、前記（５）に記載の電子機器。
（９）ドープ剤が、硫化アルミニウム、硫酸アルミニウム、又は硫酸カルシウムである、前記（８）に記載の電子機器。
（１０）ドープ剤が、アルミン酸塩である、前記（５）に記載の電子機器。
（１１）ドープ剤が、アルミン酸ナトリウム又はアルミン酸リチウムである、前記（１０）に記載の電子機器。
（１２）ドープ剤が、鉄、チタン、クロム、マグネシウム、ガリウム、又はカルシウムを含有してなる、前記（５）に記載の電子機器。
（１３）改質サファイアが、鉄、チタン、クロム、マグネシウム、ガリウム、又はカルシウムを含有してなる、前記（１２）に記載の電子機器。
（１４）ドープ剤が、炭素である、前記（５）に記載の電子機器。
（１５）改質サファイアが、硬Ｘ線又はガンマ線を照射されたサファイアである、前記（１）に記載の電子機器。
（１６）カバープレートが、約０．３〜３．０の厚さを有する、前記（１）に記載の電子機器。
（１７）カバープレートが、約０．４〜２．５の厚さを有する、前記（１）に記載の電子機器。
（１８）カバープレートが、約０．５〜１．０の厚さを有する、前記（１）に記載の電子機器。
（１９）電子機器がさらに、ディスプレー表面を有する少なくとも１つのディスプレー要素を含有してなり、カバープレートが該ディスプレー表面に貼り付けられる、前記（１）に記載の電子機器。
（２０）電子機器がさらに、ディスプレー表面を有する少なくとも１つのディスプレー要素を含有してなり、カバープレートが該ディスプレー表面の上に着脱可能に配置された保護層である、前記（１）に記載の電子機器。
（２１）カバープレートがさらに、外部の反射防止層を含有してなる、前記（１）に記載の電子機器。
（２２）電子機器が、電子メディアプレーヤー、携帯電話、携帯情報端末、ポケットベル、タブレット、ラップトップコンピュータ、又は電子手帳である、前記（１）に記載の電子機器。
（２３）改質サファイアが結晶成長炉内で固化される、前記（５）に記載の電子機器。
（２４）結晶成長炉が熱交換方式の炉である、前記（２３）に記載の電子機器。
上記の概要の説明及び以下の詳細な説明はいずれも、単なる例示及び説明であり、特許請求の範囲に記載される本発明のさらなる説明の提供を意図していると、理解すべきである。
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
コンピュータ・システムにより実行される方法であって、
前記コンピュータ・システムが、テキスト通信プロトコルを用いて送信された第１のメッセージを受信するステップと、
前記コンピュータ・システムが、リクエストをもって前記第１のメッセージの情報をサーバに送信するステップであって、前記リクエストは、前記サーバが前記第１のメッセージに対応する第２のメッセージを有するかの判定を前記情報に基づいて前記サーバが行うことを求めるものである、ステップと、
前記コンピュータ・システムが、前記サーバから前記第２のメッセージを受信するステップであって、前記第２のメッセージは、テキスト及びエンティティを含み、前記第１のメッセージは、前記テキスト及び前記エンティティのテキスト表現を含む、ステップと、
前記コンピュータ・システムが、前記第１のメッセージを表示することなく、前記テキスト及び前記エンティティをユーザに表示する表示ステップと、
を含む、方法。
【請求項２】
前記テキスト通信プロトコルは、ショート・メッセージ・サービス（ＳＭＳ）プロトコルである、請求項１記載の方法。
【請求項３】
前記情報は、前記第１のメッセージのダイジェストを含む、請求項１又は２記載の方法。
【請求項４】
前記エンティティは日付及び時間を含み、前記表示ステップは、前記テキストとは分離して、前記日付及び前記時間を表示するステップを含む、請求項１乃至３いずれか一項記載の方法。
【請求項５】
前記エンティティは場所を含み、前記表示ステップは、前記テキストとは分離して、前記場所の場所ページ又は前記場所のロケーションの地図を表示するステップを含む、請求項１乃至４いずれか一項記載の方法。
【請求項６】
メモリと、
１以上のプロセッサと、
ディスプレイと、
前記メモリに記憶されているコンポーネントであって、前記コンポーネントは、前記１以上のプロセッサにより実行されたときに、
テキスト通信プロトコルを用いて送信された第１のメッセージを受信する動作と、
前記第１のメッセージの情報をサーバに送信する動作と、
前記サーバが前記第１のメッセージに対応する第２のメッセージを有するかの判定を前記情報に基づいて前記サーバが行うことをリクエストする動作と、
前記サーバから前記第２のメッセージを受信する動作であって、前記第２のメッセージは、テキスト及びエンティティを含み、前記第１のメッセージは、前記テキスト及び前記エンティティのテキスト表現を含む、動作と、
前記ディスプレイ上で、前記第１のメッセージを表示することなく、前記テキスト及び前記エンティティをユーザに表示する表示動作と、
を実行する、コンポーネントと、
を備えた、デバイス。
【請求項７】
前記テキスト通信プロトコルは、ショート・メッセージ・サービス（ＳＭＳ）プロトコルである、請求項６記載のデバイス。
【請求項８】
前記情報は、前記第１のメッセージのダイジェストと、前記第１のメッセージの送信者の第１の電話番号と、前記第１のメッセージの受信者の第２の電話番号と、前記第１のメッセージが受信された時間と、を含み、前記判定は、前記第１のメッセージが受信された前記時間が、前記第２のメッセージが前記送信者から前記サーバにより受信された時間に前記サーバが前記第２のメッセージに関連付けたタイムスタンプの範囲内にあるという発見に基づいてなされる、請求項６又は７記載のデバイス。
【請求項９】
前記エンティティは人物を含み、前記表示動作は、前記テキストとは分離して、前記人物の連絡先情報を表示する動作を含む、請求項６乃至８いずれか一項記載のデバイス。
【請求項１０】
コンピュータ・システムに請求項１乃至５いずれか一項記載の方法を実行させるコンピュータ・プログラム。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
データベース内の少なくとも２つの関係におけるデータ項目に基づきクエリを実行し、
前記クエリに対応付けられたクエリ結果と制御情報とを出力する工程と、
前記クエリ結果と、前記制御情報とを記録する工程と、
前記実行する工程の後に前記データ項目の内の少なくとも１つが更新されたことを示す通知を受信する工程と、
前記実行する工程の後に更新された前記データ項目を反映するよう、前記制御情報に応じて前記クエリ結果を修正する工程であって、前記制御情報は、選択されたデータ項目の更新が前記クエリ結果に及ぼし得る影響を示す感度指数を含む工程と、
を有するアクティブクエリのメンテナンス方法。
【請求項２】
前記制御情報を、前記修正する工程に基づき更新する工程と、
前記修正されたクエリ結果と、前記更新された制御情報とを記録する工程と、
をさらに有する請求項１に記載の方法。
【請求項３】
前記修正されたクエリ結果と、前記更新された制御情報の記録後に前記データ項目の内少なくとも１つが更新されたことを示す第２の通知を受信する工程と、
前記第２の通知内のデータ項目を反映するよう、前記更新された制御情報に応じて前記修正されたクエリ結果を修正する工程と、
をさらに有する請求項２に記載の方法。
【請求項４】
前記実行する工程は、マージ結合動作を実行することを含み、
前記制御情報は、マージ結合トレース情報に基づき生成される、
請求項１に記載の方法。
【請求項５】
前記選択されたデータ項目は、前記データベースにおける別データ項目にアクセスするために使用されるキーである請求項１に記載の方法。
【請求項６】
前記クエリに対応付けられた前記制御情報は、前記実行する工程の最中に収集されたトレース情報に基づいている請求項１に記載の方法。
【請求項７】
前記記録する工程は、前記クエリ結果のビューを実体化することを含む請求項１に記載の方法。
【請求項８】
前記クエリは、トランザクションがコミットする時間における前記データベースの状態に矛盾しないことが求められる前記トランザクションを構成する複数のクエリの１つである、請求項１に記載の方法。
【請求項９】
前記トランザクションは別トランザクションと並行して実行され、
前記実行する工程後に更新された前記データ項目の内少なくとも１つは、前記別のトランザクションが前記データベースにコミットすることに応じて前記別のトランザクションにより更新された、請求項８に記載の方法。
【請求項１０】
コンピュータ読取可能コンピュータ命令を有するメモリと、
前記コンピュータ読取可能命令を実行するプロセッサと、
を有するアクティブクエリのメンテナンスシステムであって、前記プロセッサは、
データベース内の少なくとも２つの関係におけるデータ項目に基づきクエリを実行し、
前記クエリに対応付けられたクエリ結果と制御情報とを出力する工程と、
前記クエリ結果と、前記制御情報とを記録する工程と、
前記実行する工程の後に前記データ項目の内の少なくとも１つが更新されたことを示す通知を受信する工程と、
前記実行する工程の後に更新された前記データ項目を反映するよう、前記制御情報に応じて前記クエリ結果を修正する工程であって、前記制御情報は、選択されたデータ項目の更新が前記クエリ結果に及ぼし得る影響を示す感度指数を含む工程と、
を有する方法を実行するアクティブクエリのメンテナンスシステム。
【請求項１１】
前記方法は、
前記制御情報を、前記修正する工程に基づき更新する工程と、
前記修正されたクエリ結果と、前記更新された制御情報とを記録する工程と、
をさらに有する請求項１０に記載のシステム。
【請求項１２】
前記方法は、
前記修正されたクエリ結果と、前記更新された制御情報の記録後に前記データ項目の内少なくとも１つが更新されたことを示す第２の通知を受信する工程と、
前記第２の通知内のデータ項目を反映するよう、前記更新された制御情報に応じて前記修正されたクエリ結果を修正する工程と、
をさらに有する請求項１１に記載のシステム。
【請求項１３】
前記実行する工程は、マージ結合動作を実行することを含み、
前記制御情報は、マージ結合トレース情報に基づき生成される、
請求項１１に記載のシステム。
【請求項１４】
前記選択されたデータ項目は、前記データベースにおける別データ項目にアクセスするために使用されるキーである請求項１０に記載のシステム。
【請求項１５】
前記クエリに対応付けられた前記制御情報は、前記実行する工程の最中に収集されたトレース情報に基づいている請求項１０に記載のシステム。
【請求項１６】
前記記録する工程は、前記クエリ結果のビューを実体化することを含む請求項１０に記載のシステム。
【請求項１７】
前記クエリは、トランザクションがコミットする時間における前記データベースの状態に矛盾しないことが求められる前記トランザクションを構成する複数のクエリの１つである、請求項１０に記載のシステム。
【請求項１８】
前記トランザクションは別トランザクションと並行して実行され、
前記実行する工程後に更新された前記データ項目の内少なくとも１つは、前記別のトランザクションが前記データベースにコミットすることに応じて前記別のトランザクションにより更新された、請求項１７に記載のシステム。
【請求項１９】
アクティブクエリをメンテナンスするコンピュータプログラムプロダクトであって、前記コンピュータプログラムプロダクトは、コンピュータ読取可能プログラムコードが組み込まれた非一時的コンピュータ読取可能記憶媒体を有し、コンピュータプロセッサによって実行されると、前記コンピュータプロセッサに方法を実行させ、前記方法は、
データベース内の少なくとも２つの関係におけるデータ項目に基づきクエリを実行し、
前記クエリに対応付けられたクエリ結果と制御情報とを出力する工程と、
前記クエリ結果と、前記制御情報とを記録する工程と、
前記実行する工程の後に前記データ項目の内の少なくとも１つが更新されたことを示す通知を受信する工程と、
前記実行する工程の後に更新された前記データ項目を反映するよう、前記制御情報に応じて前記クエリ結果を修正する工程であって、前記制御情報は、選択されたデータ項目の更新が前記クエリ結果に及ぼし得る影響を示す感度指数を含む工程と、
を有するコンピュータプログラムプロダクト。